(57)【要約】
【課題】　迅速かつ確実に食材を粉砕し液状とするミキサーのカッター構造を提供する。
【解決手段】　主にベース上に容器４を設置し、該容器底部にはカッター５を軸設置する。該カッター５は３枚６方向の設計で、上カッター５１は弧状屈折を呈し、しかもカッター背５１１からカッター刃５１２に至るまでわずかに内側に傾斜する。下カッター５３も弧状屈折を呈し、しかもカッター背５３１からカッター刃５３２に至るまでわずかに外側に傾斜する。該カッター５が回転する時、該上カッター５１は渦を生じ、上側の食材を下方へと引き下ろし、攪拌、粉砕を行う。該下カッター５３は食材が底部に衝突後の上昇を導入し、攪拌、粉砕を行う。
【選択図】　図３
0003100266.tif 000002
【実用新案登録請求の範囲】
【請求項１】
　ベース上に容器を設置し、
　該容器底部にはカッターを軸設置し、
　該カッターはベースのモーターにより回転を連動され、該容器に投入された食材に対して攪拌、粉砕動作を行い、
　該カッターは３枚６方向の設計で、中カッターは平板状で、該中カッターのカッター刃は連続弧状を呈し、
　上カッターの両側辺は上向きの弧状屈折を呈し、しかもカッター背からカッター刃に至るまでわずかに内側に傾斜した形状を呈し、下カッターの両側辺は下向きの弧状屈折を呈し、しかもカッター背からカッター刃に至るまでわずかに外側に傾斜した形状を呈することを特徴とするミキサーのカッター構造。
【考案の詳細な説明】
【技術分野】
【０００１】
　本考案は一種のミキサーのカッター構造に関する。特に一種のミキサーのカッター構造に係る。
【背景技術】
【０００２】
　経済成長に伴い国民所得も増加し、生活の質に対するニーズが高まっている。また、西洋風のファーストフードが導入され食習慣が変わったことに加え、運動量の絶対的な不足もあり、肥満が社会現象ともなりつつある。肥満は各種疾病の原因となり得るため、健康のためには高カロリーのジャンクフードを控え、生野菜・果物などを多く食することがブームになっている。しかし、ある種の生野菜・果物などの味に適応できない人もいるため、ジュースにすることにより食欲を刺激する方式は非常に有効である。
【０００３】
　図１、２が示す公知のミキサーはベース１の上方に取っ手２１を具えた容器２を嵌設し、該容器２の上面開口部は蓋(図示なし)により蓋合し封鎖状態を呈する。底部には２枚が四方に放射状に延伸し交差するカッター２２を軸設置する。該カッター２２は該ベース１内部のモーター(図示なし)と相互に連結する。これにより、食材を該容器２に投入し、蓋を閉め、起動後は、該ベース１のモーターにより該カッター２２の回転を連動し、食材を粉砕、攪拌しジュースとする。
　しかし、該容器２の内部には一切のガード構造がないため、該カッター２２が回転を連動される時、投入する食材は該カッター２２の回転により同期回転を連動される。このため、投入された食材は完全には粉砕されず、ジュース中には多くの細粒状物が見られ、回転を停止後は、網を用いジュース中の細粒状物を漉す必要がある。しかも、そのろ過中は目詰まりを防ぐため、網をはたく必要があり、食材の浪費であるばかりか、余計な動作をも必要とする。飲料販売者にとってはコスト増加につながっており、上記は業者が解決を強く望んでいる問題である。
【特許文献１】特開２００３−１４４９５６号公報
【考案の開示】
【考案が解決しようとする課題】
【０００４】
　上記公知構造の欠点を解決するため、本考案はミキサーのカッター構造の提供を課題とする。
　本考案ミキサーのカッター構造は、迅速かつ確実に食材を粉砕し液状とすることができる。
【課題を解決するための手段】
【０００５】
　上記課題を解決するため、本考案は下記のミキサーのカッター構造を提供する。
　主にベース上に容器を設置し、該容器底部にはカッターを軸設置する。
　該カッターは３枚６方向の設計で、上カッターは弧状屈折を呈し、しかもカッター背からカッター刃に至るまでわずかに内側に傾斜する。下カッターも弧状屈折を呈し、しかもカッター背からカッター刃に至るまでわずかに外側に傾斜する。該カッターが回転する時、該上カッターは渦を生じ、上側の食材を下方へと引き下ろし、攪拌、粉砕を行う。該下カッターは食材が底部に衝突後の上昇を導入し、攪拌、粉砕を行う。
　すなわち、本考案のミキサーのカッター構造は、
　ベース上に容器を設置し、
　該容器底部にはカッターを軸設置し、
　該カッターはベースのモーターにより回転を連動され、該容器に投入された食材に対して攪拌、粉砕動作を行い、
　該カッターは３枚６方向の設計で、中カッターは平板状で、該中カッターのカッター刃は連続弧状を呈し、
　上カッターの両側辺は上向きの弧状屈折を呈し、しかもカッター背からカッター刃に至るまでわずかに内側に傾斜した形状を呈し、下カッターの両側辺は下向きの弧状屈折を呈し、しかもカッター背からカッター刃に至るまでわずかに外側に傾斜した形状を呈することを特徴とする。
【考案の効果】
【０００６】
　本考案のカッターによれば、上方の食材を下方へと引き下ろし、下方の食材を上昇させ、確実に食材を攪拌し、粉砕し液状とすることができる。こうして、食材の浪費をなくし、ろ過のステップを不要とし、ジュースのコストを低下させる効果をも有する。
【考案を実施するための最良の形態】
【０００７】
　図３、４が示すように、本考案ミキサーのカッター構造は基本的には公知構造と同様である。即ち、ベース３上に容器４を嵌設し、該容器４の上面開口部は蓋(図示なし)により蓋合し封鎖状態を呈する。該容器４の片側には使用者が握持することができる取っ手４１を設置する。
【０００８】
　本考案の特徴であるカッター５は３枚６方向式の設計である。上カッター５１の両側面には上向きの弧状屈折があり、かつカッター背５１１からカッター刃５１２にかけてわずかに内部に向って傾斜した形状を呈する。この内部に向った傾斜は該カッター５の回転方向と同一で、該カッター背５１１は該カッター刃５１２に至るまでは該カッター５の回転方向に従いわずかに内部へと傾斜している。
　中カッター５２は平板状で、カッター刃５２１は連続状の弧状を呈する。
　下カッター５３両側は下向きの弧状屈折を呈し、しかもカッター背５３１よりカッター刃５３２に至るまで、わずかに外向きに傾斜した形状を呈する。この傾斜方向は該カッター５の回転方向と同一である。また該カッター背５３１からカッター刃５３２に至るまでは該カッター５の回転方向に従いわずかに外部へと傾斜している。
【０００９】
　本考案は図５が示すように、該上カッター５１のカッター背５１１からカッター刃５１２に至るまではわずかに内部に傾斜した状態で、該カッター５が回転を連動される時、該上カッター５１と該下カッター５３は先ず、食材に対して荒くカットし比較的小さな塊状とする。該中カッター５２は該小さな塊状となった食材を粉砕し液状とする。この後、該上カッター５１の高速回転により、該容器４内部上部には渦が生じ、該渦の下向きに吸引する力により、粉砕された食材は下方へと引かれ、該中カッター５２によりさらに粉砕される。
　また、図６が示すように、該下カッター５３の回転により、導入効果を形成し、下側の食材は該カッター背５３１から該カッター刃５３２に至るまでの外向き傾斜の斜度に従い下へと降りて来る。この時、該容器４の弧状底盤４２に衝突し、該小さな塊状の食材は上昇を始め、該中カッター５２によりさらに細かく粉砕を行う。
【００１０】
上記のように、本考案のカッターは上方の食材を下方へと引き下ろし、下方の食材を上昇させ、確実に食材を攪拌し、粉砕し液状とすることができる。こうして、食材の浪費をなくし、ろ過のステップを不要とし、ジュースのコストを低下させる効果をも有する。
【図面の簡単な説明】
【００１１】
【図１】公知のミキサーの分解図である。
【図２】公知のミキサーの立体図である。
【図３】本考案実施例の分解図である。
【図４】本考案実施例の立体図である。
【図５】本考案の作動指示図である。
【図６】本考案別種の作動指示図である。
【符号の説明】
【００１２】
　 １　ベース
　 ２　容器
　２１　取っ手
　２２　カッター
　 ３　ベース
　 ４　容器
　４１　取っ手
　４２　底盤
　 ５　カッター
　５１　上カッター
５１１　カッター背
５１２　カッター刃
　５２　中カッター
５２１　カッター刃
　５３　下カッター
５３１　カッター背
５３２　カッター刃
【図１】
0003100266.tif 000003
【図２】
0003100266.tif 000004
【図３】
0003100266.tif 000005
【図４】
0003100266.tif 000006
【図５】
0003100266.tif 000007
【図６】
0003100266.tif 000008